(57)【要約】【課題】  カメラ付き携帯端末を利用した個人認証システムであって、ユーザが登録画像や認証用画像を撮像する際に撮像する向きの制約がない個人認証システムを提供する。【解決手段】  ユーザの登録画像を９０°、１８０°、２７０°回転した画像を生成し、登録画像及びこれらの回転画像のそれぞれから特徴量を抽出したものを認証情報として保持しておき、認証時には認証用画像の特徴量と、上記４つの画像の特徴量とを比較して認証を行う個人認証システム【選択図】          図１
2006113820.tif 000002
【特許請求の範囲】
【請求項１】
カメラ付き携帯端末を用いて人体の一部を撮像した画像により個人認証を行うシステムであって、
前記カメラ付き携帯端末により撮像した認証用画像と、予め登録してある登録画像及び該登録画像を回転した画像とを比較することにより個人認証を行うシステム。
【請求項２】
カメラ付き携帯端末を用いて人体の一部を撮像した画像により個人認証を行うシステムであって、
前記カメラ付き携帯端末により撮像した認証用画像及び該認証用画像を回転した画像と、予め登録してある登録画像とを比較することにより個人認証を行うシステム。
【請求項３】
前記登録画像又は認証用画像を回転した画像には、前記登録画像又は認証用画像を９０°、１８０°、２７０°回転した画像のうち少なくとも１つが含まれることを特徴とする請求項１又は２に記載のシステム。
【請求項４】
カメラ付き携帯端末を用いて人体の一部を撮像した画像により個人認証を行うシステムであって、
画像から特徴量を抽出する手段と、予め取得した登録画像及び該登録画像を回転した画像から抽出した特徴量を保持する手段と、画像の比較を行う手段とを備えた認証サーバを含み、
前記認証サーバは、前記カメラ付き携帯端末により撮像した認証用画像を受信し、前記認証用画像から特徴量を抽出し、前記認証用画像から抽出された特徴量と、保持してある登録画像及びその回転画像から抽出された特徴量とを比較することにより個人認証を行うシステム。
【請求項５】
カメラ付き携帯端末を用いて人体の一部を撮像した画像により個人認証を行うシステムであって、
画像から特徴量を抽出する手段と、予め取得した登録画像から抽出した特徴量を保持する手段と、画像の比較を行う手段とを備えた認証サーバを含み、
前記認証サーバは、前記カメラ付き携帯端末により撮像した認証用画像を受信し、前記認証用画像及び該認証用画像を回転した画像から特徴量を抽出し、前記認証用画像及びその回転画像から抽出された特徴量と、保持してある登録画像から抽出された特徴量とを比較することにより個人認証を行うシステム。
【請求項６】
前記登録画像又は認証用画像を回転した画像には、前記登録画像又は認証用画像を９０°、１８０°、２７０°回転した画像のうち少なくとも１つが含まれることを特徴とする請求項４又は５に記載のシステム。
【請求項７】
カメラ付き携帯端末において人体の一部を撮像した画像により個人認証を行うシステムであって、
前記カメラ付き携帯端末は、画像から特徴量を抽出する手段と、予め取得した登録画像及び該登録画像を回転した画像から抽出した特徴量を保持する手段と、画像の比較を行う手段とを備えたカメラ付き携帯端末を含み、
前記カメラ付き携帯端末は、撮像した認証用画像から特徴量を抽出し、前記認証用画像から抽出された特徴量と、保持してある登録画像及びその回転画像から抽出された特徴量とを比較することにより個人認証を行うシステム。
【請求項８】
カメラ付き携帯端末において人体の一部を撮像した画像により個人認証を行うシステムであって、
前記カメラ付き携帯端末は、画像から特徴量を抽出する手段と、予め取得した登録画像から抽出した特徴量を保持する手段と、画像の比較を行う手段とを備えたカメラ付き携帯端末を含み、
撮像した認証用画像及び該認証用画像を回転した画像から特徴量を抽出し、前記認証用画像及びその回転画像から抽出された特徴量と、保持してある登録画像から抽出された特徴量とを比較することにより個人認証を行うシステム。
【請求項９】
前記登録画像又は認証用画像を回転した画像には、前記登録画像又は認証用画像を９０°、１８０°、２７０°回転した画像のうち少なくとも１つが含まれることを特徴とする請求項７又は８に記載のシステム。
【請求項１０】
虹彩又は顔面を撮像した画像を用いて個人認証を行うことを特徴とする請求項１から９のいずれか１項に記載のシステム。
【請求項１１】
カメラ付き携帯端末を用いて人体の一部を撮像した画像により個人認証を行う方法であって、
前記カメラ付き携帯端末により撮像した認証用画像と、予め登録してある登録画像及び該登録画像を回転した画像とを比較することにより個人認証を行う方法。
【請求項１２】
カメラ付き携帯端末を用いて人体の一部を撮像した画像により個人認証を行う方法であって、
前記カメラ付き携帯端末により撮像した認証用画像及び該認証用画像を回転した画像と、予め登録してある登録画像とを比較することにより個人認証を行う方法。
【請求項１３】
前記登録画像又は認証用画像を回転した画像には、前記登録画像又は認証用画像を９０°、１８０°、２７０°回転した画像のうち少なくとも１つが含まれることを特徴とする請求項１１又は１２に記載の方法。
【請求項１４】
カメラ付き携帯端末を用いて人体の一部を撮像した画像により個人認証を行う方法であって、
画像から特徴量を抽出する手段と、予め取得した登録画像及び該登録画像を回転した画像から抽出した特徴量を保持する手段と、画像の比較を行う手段とを備えた認証サーバにおいて、前記カメラ付き携帯端末により撮像した認証用画像を受信し、前記認証用画像から特徴量を抽出し、前記認証用画像から抽出された特徴量と、保持してある登録画像及びその回転画像から抽出された特徴量とを比較することにより個人認証を行う方法。
【請求項１５】
カメラ付き携帯端末を用いて人体の一部を撮像した画像により個人認証を行う方法であって、
画像から特徴量を抽出する手段と、予め取得した登録画像から抽出した特徴量を保持する手段と、画像の比較を行う手段とを備えた認証サーバにおいて、前記カメラ付き携帯端末により撮像した認証用画像を受信し、前記認証用画像及び該認証用画像を回転した画像から特徴量を抽出し、前記認証用画像及びその回転画像から抽出された特徴量と、保持してある登録画像から抽出された特徴量とを比較することにより個人認証を行う方法。
【請求項１６】
前記登録画像又は認証用画像を回転した画像には、前記登録画像又は認証用画像を９０°、１８０°、２７０°回転した画像のうち少なくとも１つが含まれることを特徴とする請求項１４又は１５に記載の方法。
【請求項１７】
カメラ付き携帯端末において人体の一部を撮像した画像により個人認証を行う方法であって、
画像から特徴量を抽出する手段と、予め取得した登録画像及び該登録画像を回転した画像から抽出した特徴量を保持する手段と、画像の比較を行う手段とを備えたカメラ付き携帯端末において、撮像した認証用画像から特徴量を抽出し、前記認証用画像から抽出された特徴量と、保持してある登録画像及びその回転画像から抽出された特徴量とを比較することにより個人認証を行う方法。
【請求項１８】
カメラ付き携帯端末において人体の一部を撮像した画像により個人認証を行う方法であって、
画像から特徴量を抽出する手段と、予め取得した登録画像から抽出した特徴量を保持する手段と、画像の比較を行う手段とを備えたカメラ付き携帯端末において、撮像した認証用画像及び該認証用画像を回転した画像から特徴量を抽出し、前記認証用画像及びその回転画像から抽出された特徴量と、保持してある登録画像から抽出された特徴量とを比較することにより個人認証を行う方法。
【請求項１９】
前記登録画像又は認証用画像を回転した画像には、前記登録画像又は認証用画像を９０°、１８０°、２７０°回転した画像のうち少なくとも１つが含まれることを特徴とする請求項１７又は１８に記載の方法。
【請求項２０】
虹彩又は顔面を撮像した画像を用いて個人認証を行うことを特徴とする請求項１１から１９のいずれか１項に記載の方法。
【請求項２１】
請求項１１から２０のいずれか１項に記載の個人認証を行う方法を実行するためのコンピュータプログラム。
【請求項２２】
画像を撮像する手段と、画像から特徴量を抽出する手段と、予め取得した登録画像及び該登録画像を回転した画像から抽出した特徴量を保持する手段と、画像の比較を行う手段とを備え、
撮像した認証用画像から特徴量を抽出し、前記認証用画像から抽出された特徴量と、保持してある登録画像及びその回転画像から抽出された特徴量とを比較することにより個人認証を行う携帯端末。
【請求項２３】
画像を撮像する手段と、画像から特徴量を抽出する手段と、予め取得した登録画像から抽出した特徴量を保持する手段と、画像の比較を行う手段とを備え、
撮像した認証用画像及び該認証用画像を回転した画像から特徴量を抽出し、前記認証用画像及びその回転画像から抽出された特徴量と、保持してある登録画像から抽出された特徴量とを比較することにより個人認証を行う携帯端末。
【請求項２４】
前記登録画像又は認証用画像を回転した画像には、前記登録画像又は認証用画像を９０°、１８０°、２７０°回転した画像のうち少なくとも１つが含まれることを特徴とする請求項２２又は２３に記載の携帯端末。
【請求項２５】
虹彩又は顔面を撮像した画像を用いて個人認証を行うことを特徴とする請求項２２から２４のいずれか１項に記載の携帯端末。
【発明の詳細な説明】
【技術分野】
【０００１】
本発明は、顔や虹彩などの画像から個人を認証するシステムに関し、特に、携帯端末により撮像した顔や虹彩などの画像から個人を認証するシステムに関するものである。
【背景技術】
【０００２】
近年、顔や虹彩など人体の一部を撮像し、その画像に表れる個人の特徴によって個人認証を行うシステムが開発されている。このような個人認証システムでは、予め個人の顔や虹彩などの認識対象部位の画像を撮像して登録しておき、認証時には個人の認識対象部位を撮像した画像と登録画像とを比較し、一致する場合にはその個人が本人であるとの認識を行う仕組みとなっている。
【０００３】
一方、カメラ付き携帯端末の普及により、携帯端末を利用した個人認証システムも開発が進んでいる。携帯端末で個人の認識対象部位を撮像し、その画像を携帯端末内部に記憶してある登録画像と比較して個人認証を行ったり、あるいは携帯端末の通信機能によりその画像をセンタに送信して個人認証を行ったりするものである。
【０００４】
【特許文献１】特開２００１−２７３４９８号公報。
【特許文献２】特開２００２−７７８４２号公報。
【特許文献３】特開２００２−２２９９５５号公報。
【発明の開示】
【発明が解決しようとする課題】
【０００５】
コンピュータなどに接続された固定カメラにより撮像を行う個人認証システムでは、通常、カメラと被写体（顔や虹彩などの撮像部位）との位置関係は一定に保たれているので、認証時に比較される撮像画像と登録画像とは、常に同じ向きとなっている。ところが、カメラ付き携帯端末を利用した個人認証システムでは、画像が必ずしも同じ向きで撮像がされるとは限らない。そうすると、認証時に比較される撮像画像と登録画像とは、向きが異なっている場合があることになる。
【０００６】
個人認証システムにおける画像比較処理では、比較対象の両画像から個人に固有の特徴となる特徴量を抽出し、それらの類似度を比較することにより同一人物のものであるかどうかを判定する。例えば、顔の画像であれば、輪郭の形状、目、鼻、口の位置関係など、虹彩認識であれば、虹彩の模様などを抽出し、コード化したものが特徴量となる。ところが、比較される両画像の向きが異なっている場合には、それらが同一人物の画像であっても、それぞれから抽出される特徴量は異なったものとなるため、個人認証が正確に行えなくなってしまう。
【０００７】
カメラ付き携帯端末を利用した個人認証システムにおいて、このような問題に対処するには、撮影時の携帯端末の向きを固定する必要がある。しかしながら、それでは、操作の自由度が限定されてしまうため、ユーザにとっては使い勝手の悪いシステムとなってしまう。
【０００８】
本発明は、このような実情に鑑みてなされたものであり、カメラ付き携帯端末を利用した個人認証システムであって、ユーザが登録画像や認証用画像を撮像する際に撮像する向きの制約がない個人認証システムを提供しようとするものである。
【課題を解決するための手段】
【０００９】
上記解決課題に鑑みて鋭意研究の結果、本発明者は、ユーザの登録画像を９０°、１８０°、２７０°回転した画像を生成し、登録画像及びこれらの回転画像のそれぞれから特徴量を抽出したものを認証情報として保持しておき、認証時には認証用画像の特徴量と、上記４つの画像の特徴量とを比較して認証を行う個人認証システムに想到した。
【００１０】
すなわち、本発明は、カメラ付き携帯端末を用いて人体の一部を撮像した画像により個人認証を行うシステムであって、前記カメラ付き携帯端末により撮像した認証用画像と、予め登録してある登録画像及び該登録画像を回転した画像とを比較することにより個人認証を行うシステムを提供するものである。
【００１１】
本発明は、また、カメラ付き携帯端末を用いて人体の一部を撮像した画像により個人認証を行うシステムであって、前記カメラ付き携帯端末により撮像した認証用画像及び該認証用画像を回転した画像と、予め登録してある登録画像とを比較することにより個人認証を行うシステムを提供するものである。
【００１２】
本発明は、また、カメラ付き携帯端末を用いて人体の一部を撮像した画像により個人認証を行うシステムであって、画像から特徴量を抽出する手段と、予め取得した登録画像及び該登録画像を回転した画像から抽出した特徴量を保持する手段と、画像の比較を行う手段とを備えた認証サーバを含み、前記認証サーバは、前記カメラ付き携帯端末により撮像した認証用画像を受信し、前記認証用画像から特徴量を抽出し、前記認証用画像から抽出された特徴量と、保持してある登録画像及びその回転画像から抽出された特徴量とを比較することにより個人認証を行うシステムを提供するものである。
【００１３】
本発明は、また、カメラ付き携帯端末を用いて人体の一部を撮像した画像により個人認証を行うシステムであって、画像から特徴量を抽出する手段と、予め取得した登録画像から抽出した特徴量を保持する手段と、画像の比較を行う手段とを備えた認証サーバを含み、前記認証サーバは、前記カメラ付き携帯端末により撮像した認証用画像を受信し、前記認証用画像及び該認証用画像を回転した画像から特徴量を抽出し、前記認証用画像及びその回転画像から抽出された特徴量と、保持してある登録画像から抽出された特徴量とを比較することにより個人認証を行うシステムを提供するものである。
【００１４】
本発明は、また、カメラ付き携帯端末において人体の一部を撮像した画像により個人認証を行うシステムであって、前記カメラ付き携帯端末は、画像から特徴量を抽出する手段と、予め取得した登録画像及び該登録画像を回転した画像から抽出した特徴量を保持する手段と、画像の比較を行う手段とを備えたカメラ付き携帯端末を含み、前記カメラ付き携帯端末は、撮像した認証用画像から特徴量を抽出し、前記認証用画像から抽出された特徴量と、保持してある登録画像及びその回転画像から抽出された特徴量とを比較することにより個人認証を行うシステムを提供するものである。
【００１５】
本発明は、また、カメラ付き携帯端末において人体の一部を撮像した画像により個人認証を行うシステムであって、前記カメラ付き携帯端末は、画像から特徴量を抽出する手段と、予め取得した登録画像から抽出した特徴量を保持する手段と、画像の比較を行う手段とを備えたカメラ付き携帯端末を含み、撮像した認証用画像及び該認証用画像を回転した画像から特徴量を抽出し、前記認証用画像及びその回転画像から抽出された特徴量と、保持してある登録画像から抽出された特徴量とを比較することにより個人認証を行うシステムを提供するものである。
【００１６】
本発明の個人認証システムにおいて、前記登録画像又は認証用画像を回転した画像には、前記登録画像又は認証用画像を９０°、１８０°、２７０°回転した画像のうち少なくとも１つが含まれることを特徴とする。これにより、ユーザがどのような向きで画像を撮像したとしても、問題なく個人認証を行うことができる。
【００１７】
本発明は、また、カメラ付き携帯端末を用いて人体の一部を撮像した画像により個人認証を行う方法であって、前記カメラ付き携帯端末により撮像した認証用画像と、予め登録してある登録画像及び該登録画像を回転した画像とを比較することにより個人認証を行う方法を提供するものである。
【００１８】
本発明は、また、カメラ付き携帯端末を用いて人体の一部を撮像した画像により個人認証を行う方法であって、前記カメラ付き携帯端末により撮像した認証用画像及び該認証用画像を回転した画像と、予め登録してある登録画像とを比較することにより個人認証を行う方法を提供するものである。
【００１９】
本発明は、また、カメラ付き携帯端末を用いて人体の一部を撮像した画像により個人認証を行う方法であって、画像から特徴量を抽出する手段と、予め取得した登録画像及び該登録画像を回転した画像から抽出した特徴量を保持する手段と、画像の比較を行う手段とを備えた認証サーバにおいて、前記カメラ付き携帯端末により撮像した認証用画像を受信し、前記認証用画像から特徴量を抽出し、前記認証用画像から抽出された特徴量と、保持してある登録画像及びその回転画像から抽出された特徴量とを比較することにより個人認証を行う方法を提供するものである。
【００２０】
本発明は、また、カメラ付き携帯端末を用いて人体の一部を撮像した画像により個人認証を行う方法であって、画像から特徴量を抽出する手段と、予め取得した登録画像から抽出した特徴量を保持する手段と、画像の比較を行う手段とを備えた認証サーバにおいて、前記カメラ付き携帯端末により撮像した認証用画像を受信し、前記認証用画像及び該認証用画像を回転した画像から特徴量を抽出し、前記認証用画像及びその回転画像から抽出された特徴量と、保持してある登録画像から抽出された特徴量とを比較することにより個人認証を行う方法を提供するものである。
【００２１】
本発明は、また、カメラ付き携帯端末において人体の一部を撮像した画像により個人認証を行う方法であって、画像から特徴量を抽出する手段と、予め取得した登録画像及び該登録画像を回転した画像から抽出した特徴量を保持する手段と、画像の比較を行う手段とを備えたカメラ付き携帯端末において、撮像した認証用画像から特徴量を抽出し、前記認証用画像から抽出された特徴量と、保持してある登録画像及びその回転画像から抽出された特徴量とを比較することにより個人認証を行う方法を提供するものである。
【００２２】
本発明は、また、カメラ付き携帯端末において人体の一部を撮像した画像により個人認証を行う方法であって、画像から特徴量を抽出する手段と、予め取得した登録画像から抽出した特徴量を保持する手段と、画像の比較を行う手段とを備えたカメラ付き携帯端末において、撮像した認証用画像及び該認証用画像を回転した画像から特徴量を抽出し、前記認証用画像及びその回転画像から抽出された特徴量と、保持してある登録画像から抽出された特徴量とを比較することにより個人認証を行う方法を提供するものである。
【００２３】
本発明の個人認証方法において、前記登録画像又は認証用画像を回転した画像には、前記登録画像又は認証用画像を９０°、１８０°、２７０°回転した画像のうち少なくとも１つが含まれることを特徴とする。これにより、ユーザがどのような向きで画像を撮像したとしても、問題なく個人認証を行うことができる。
【００２４】
本発明は、また、上記した個人認証を行う方法を実行するためのコンピュータプログラムを提供するものである。
【００２５】
本発明は、また、画像を撮像する手段と、画像から特徴量を抽出する手段と、予め取得した登録画像及び該登録画像を回転した画像から抽出した特徴量を保持する手段と、画像の比較を行う手段とを備え、撮像した認証用画像から特徴量を抽出し、前記認証用画像から抽出された特徴量と、保持してある登録画像及びその回転画像から抽出された特徴量とを比較することにより個人認証を行う携帯端末を提供するものである。
【００２６】
本発明は、また、画像を撮像する手段と、画像から特徴量を抽出する手段と、予め取得した登録画像から抽出した特徴量を保持する手段と、画像の比較を行う手段とを備え、
撮像した認証用画像及び該認証用画像を回転した画像から特徴量を抽出し、前記認証用画像及びその回転画像から抽出された特徴量と、保持してある登録画像から抽出された特徴量とを比較することにより個人認証を行う携帯端末を提供するものである。
【００２７】
本発明の携帯端末において、前記登録画像又は認証用画像を回転した画像には、前記登録画像又は認証用画像を９０°、１８０°、２７０°回転した画像のうち少なくとも１つが含まれることを特徴とする。これにより、ユーザがどのような向きで画像を撮像したとしても、問題なく個人認証を行うことができる。
【００２８】
尚、本発明において個人認証に用いる画像は、ユーザの眼や顔を撮像した画像である。それらの画像から、眼の虹彩、顔面全体、あるいは口、耳、鼻等の器官に表れる各人固有の特徴（位置、形状、色彩、模様等）を利用して個人認証を行うことができる。
【発明の効果】
【００２９】
以上、説明したように、本発明の携帯端末を利用した個人認証システムによれば、認証用画像を撮像する際に撮像の向きを気にする必要がないないので、ユーザにとって利便性が高い個人認証システムが実現される。
【発明を実施するための最良の形態】
【００３０】
以下、添付図面を参照しながら、本発明の携帯端末を利用した個人認証システムを実施するための最良の形態を詳細に説明する。図１〜図８は、本発明の実施の形態を例示する図であり、これらの図において、同一の符号を付した部分は同一物を表わし、基本的な構成及び動作は同様であるものとする。
【００３１】
[第１実施形態]
本発明の携帯端末を利用した個人認証システムの第１実施形態は、カメラ付き携帯電話を用い、個人の虹彩画像に基づいて個人認証を行うシステムである。図１は、本実施形態の個人認証システムの構成を概略的に示す図である。図１において、この個人認証システムは、カメラ付き携帯電話１００と、認証サーバ２００とから構成されている。認証サーバ２００は、ネットワークを通じて通信を行う通信部２０１、個人認証に必要なデータを保持する認証データベース２０２、認識対象画像や登録のための画像を解析する画像解析部２０３、認識対象画像と登録画像とを比較する比較部２０４、及びこれらの処理部を制御する制御部２０５を含んでいる。
【００３２】
図２は、カメラ付き携帯電話１００のカメラ装着面の外観を概略的に示す図である。ユーザは、このカメラ装着面を撮像対象（自身の眼）に向けて撮像する操作を行う。尚、カメラ付き携帯電話１００のカメラ装着面には、カメラのみならず、フラッシュなどを備えていてもよい。
【００３３】
図３は、カメラ付き携帯電話１００の内部構成を示すブロック図である。図３において、カメラ付き携帯電話１００は、カメラにより撮像した画像を取得する画像取得部１０２と、ネットワークを通じて通信を行う通信部１０３と、撮像した画像や操作画面などを表示する表示部１０４と、ユーザからの操作を受け付ける操作部１０５と、これらの処理部を制御する制御部１０１とを含んでいる。一般的には、画像取得部１０２は携帯電話装置付属のＣＣＤカメラ等であり、通信部１０３はキャリア網などを利用した通信処理機能に相当し、表示部１０４は液晶ディスプレイ等であり、操作部１０５は携帯電話装置の操作ボタン等であり、制御部１０１は携帯電話装置内に組み込まれたＣＰＵなどに相当するものである。また、図示しないが、カメラ付き携帯電話１００は、撮像画像や個人情報などを記憶するメモリを有しているものとする。
【００３４】
図４は、カメラ付き携帯電話１００によりユーザが撮像対象（自身の眼）を撮像する様々な態様を示す図である。図４（ａ）及び（ｂ）では、カメラ付き携帯電話を折りたたんだ状態でカメラ装着面をユーザの顔面に対向させ、カメラ付き携帯電話の長さ方向が垂直方向と一致するようにして撮像を行う例を示している。図４（ｃ）では、カメラ付き携帯電話を展開した状態でカメラ装着面をユーザの顔面に対向させ、カメラ付き携帯電話の長さ方向が水平方向と一致するようにして撮像を行う例を示している。また、図示しないが、図４（ｃ）の例と同様にカメラ付き携帯電話の長さ方向を水平方向と一致させ、その向きを左右反対にして撮像する例も考えられる。このようにして撮像されるユーザの眼の画像を図５（ａ）〜（ｄ）に例示する。
【００３５】
次に、本実施形態の個人認証システムの動作について説明する。
【００３６】
図６は、本実施形態の個人認証システムにおいて、個人認証用の画像を認証サーバに登録する処理の流れを示すシーケンス図である。図６において、まず、ユーザはカメラ付き携帯電話１００の操作部１０５により登録用画像の撮像モードを起動する（ステップＳ６０１）。登録用画像撮像モードにおいてユーザが自身の眼（虹彩部分を含む）を撮像すると（ステップＳ６０２）、この撮像画像は画像取得部１０２により登録用画像として取得され、通信部１０３によりユーザの識別情報とともに認証サーバ２００に送信される（ステップＳ６０３）。
【００３７】
登録用画像を受信した認証サーバ２００は、画像解析部２０３により、登録用画像に含まれるユーザの眼の画像から特徴量を抽出する（ステップＳ６０４）。さらに、認証サーバ２００は、登録用画像を９０°、１８０°、２７０°回転した画像を生成し、それぞれについて特徴量を抽出する（ステップＳ６０５）。例えば、図５（ａ）に示すような登録用画像がある場合には、これに対して図５（ｂ）〜（ｄ）の３つの画像を生成することになる。登録用画像及びそれを回転した３つの画像から抽出された特徴量は、ユーザの識別情報とともに認証データベース２０２に記憶される（ステップＳ６０６）。以上により、個人認証用の画像が認証サーバに登録されたことになる。
【００３８】
尚、上記のように認証サーバ２００において登録用画像を９０°、１８０°、２７０°回転した画像を作成した後にそれぞれの回転画像から特徴量を抽出するのではなく、登録用画像から抽出された特徴量に対して上記の画像回転処理に相当するデータ変換処理を行っても同じ処理結果を得ることが可能である。この場合、登録用画像から虹彩部分を含む円形領域を切り出した画像を処理対象とすれば、上記の特徴量に対するデータ変換処理をより簡易に行うことができる。
【００３９】
図７は、本実施形態の個人認証システムにおいて、個人認証を行う処理の流れを示すシーケンス図である。図７において、まず、ユーザはカメラ付き携帯電話１００の操作部１０５により認証用画像の撮像モードを起動する（ステップＳ７０１）。認証用画像撮像モードにおいてユーザが自身の眼（虹彩部分を含む）を撮像すると（ステップＳ７０２）、この撮像画像は画像取得部１０２により認証用画像として取得され、通信部１０３によりユーザの識別情報とともに認証サーバ２００に送信される（ステップＳ７０３）。
【００４０】
認証用画像を受信した認証サーバ２００は、画像解析部２０３により、認証用画像に含まれるユーザの眼の画像から特徴量を抽出する（ステップＳ７０４）。認証データベース２０２から当該ユーザの登録用画像及びその回転画像から抽出された特徴量を取得し（ステップＳ７０５）、比較部２０４により、認証用画像の特徴量と認証データベースから取得したそれぞれの特徴量とを比較する（ステップＳ７０６）。その結果、認証用画像の特徴量が認証データベースから取得したいずれかの特徴量と一致する場合にはユーザの個人認証が成功したこととし、いずれとも一致しない場合にはユーザの個人認証が失敗したこととする。この認証結果をユーザのカメラ付き携帯電話１００に送信する（ステップＳ７０７）。
【００４１】
[第２実施形態]
本発明の携帯端末を利用した個人認証システムの第２実施形態は、第１実施形態と同様にカメラ付き携帯電話を用い、個人の虹彩画像に基づいて個人認証を行うシステムである。本実施形態の個人認証システムの構成は図１〜図３に示すものと同様であるので、説明を省略する。
【００４２】
本実施形態の個人認証システムでは、認証サーバ２００がユーザの個人認証用画像を登録する処理において、ユーザのカメラ付き携帯電話１００から受信した登録用画像から抽出した特徴量のみをユーザの識別情報とともに認証データベース２０２に記憶する。また、認証サーバ２００が個人認証を行う処理において、ユーザのカメラ付き携帯電話１００から受信した認証用画像から特徴量を抽出するとともに、認証用画像を９０°、１８０°、２７０°回転した画像のそれぞれについても特徴量を抽出する。その後、認証データベース２０２から登録用画像の特徴量を取得し、認証用画像の特徴量及び認証用画像の回転画像の特徴量と比較することにより認証を行う。
【００４３】
[第３実施形態]
本発明の携帯端末を利用した個人認証システムの第３実施形態は、カメラ付き携帯電話を用い、認証サーバを利用することなく、個人の虹彩画像に基づいて個人認証を行うシステムであるが。図８は、本実施形態の個人認証システムにおいて用いられるカメラ付き携帯電話の内部構成を概略的に示すブロック図である。図８において、このカメラ付き携帯電話は、カメラにより撮像した画像を取得する画像取得部１０２と、ネットワークを通じて通信を行う通信部１０３と、撮像した画像や操作画面などを表示する表示部１０４と、ユーザからの操作を受け付ける操作部１０５と、認証部１０６と、認証データベース１０７と、これらの処理部を制御する制御部１０１とを含んでいる。これらのうち、制御部１０１、画像取得部１０２、通信部１０３、表示部１０４及び操作部１０５は、図３に示す第１実施形態のものと同様である。認証部１０６は、図１に示す認証サーバ２００の画像解析部２０３及び比較部２０４と同様に機能するよう構成され、認証データベース１０７は、図１に示す認証サーバ２００の認証データベース２０２と同様に機能するよう構成されている。
【００４４】
本実施形態の個人認証システムにおいて、個人認証用の画像を登録する際には、カメラ付き携帯電話のカメラによりユーザが撮像した登録用画像を画像取得部１０２により取得し、認証部１０６により登録用画像から特徴量を抽出し、さらに登録用画像の回転画像についても特徴量を抽出し、それらを認証データベース１０７に記憶する。
【００４５】
個人認証を行う際には、カメラ付き携帯電話のカメラによりユーザが撮像した認証用画像を画像取得部１０２により取得し、認証部１０６により認識用画像から特徴量を抽出し、認証データベース１０７から登録用画像及びその回転画像から抽出された特徴量を取得し、それらを比較することにより認証を行う。
【００４６】
尚、第２実施形態と同様に、登録時には登録用画像から抽出された特徴量のみを認証データベース１０７に記憶しておき、認証時に認証用画像とその回転画像とから特徴量を抽出して比較を行うようにしてもよい。本実施形態によれば、例えば、ユーザ以外の者がユーザのカメラ付き携帯電話に対して操作を行うことができないようロックをかけることができる。
【００４７】
以上、本発明の携帯端末を利用した個人認証システムについて、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【００４８】
上記した各実施形態では、眼の虹彩に表れる各人固有の特徴（位置、形状、色彩、模様等）を利用して個人認証を行うものとしているが、その他にも、顔面全体や口、耳、鼻等の器官に表れる各人固有の特徴を利用して個人認証を行ってもよい。
【産業上の利用可能性】
【００４９】
本発明の携帯端末を利用した個人認証システムは、携帯電話などの携帯端末に組み込んだシステムとして利用可能である。
【図面の簡単な説明】
【００５０】
【図１】本発明の第１実施形態の個人認証システムの構成を概略的に示す図である。
【図２】図１に示すカメラ付き携帯電話のカメラ装着面の外観を概略的に示す図である。
【図３】図１に示すカメラ付き携帯電話の内部構成を示すブロック図である。
【図４】図１に示すカメラ付き携帯電話によりユーザが撮像対象（自身の眼）を撮像する様々な態様を示す図である。
【図５】図４に示す例により撮像されるユーザの眼の画像を例示する図である。
【図６】図１に示す個人認証システムにおいて、個人認証用の画像を認証サーバに登録する処理の流れを示すシーケンス図である。
【図７】図１に示す個人認証システムにおいて、個人認証を行う処理の流れを示すシーケンス図である。
【図８】本発明の第３実施形態の個人認証システムにおいて用いられるカメラ付き携帯電話の内部構成を概略的に示すブロック図である。
【符号の説明】
【００５１】
１００  カメラ付き携帯電話
１０１  制御部
１０２  画像取得部
１０３  通信部
１０４  表示部
１０５  操作部
１０６  認証部
１０７  認証データベース
２００  認証サーバ
２０１  通信部
２０２  認証データベース
２０３  画像解析部
２０４  比較部
２０５  制御部
【図１】
2006113820.tif 000003
【図２】
2006113820.tif 000004
【図３】
2006113820.tif 000005
【図４】
2006113820.tif 000006
【図５】
2006113820.tif 000007
【図６】
2006113820.tif 000008
【図７】
2006113820.tif 000009
【図８】
2006113820.tif 000010
【手続補正書】
【提出日】平成18年1月13日(2006.1.13)
【手続補正１】
【補正対象書類名】特許請求の範囲
【補正対象項目名】請求項１
【補正方法】変更
【補正の内容】
【請求項１】
カメラ付き携帯端末を用いて人体の一部を撮像した画像により個人認証を行うシステムであって、
前記カメラ付き携帯端末により撮像した認証用画像の特徴量と、予め登録してある登録画像及び該登録画像を回転した画像の特徴量とを比較することにより個人認証を行うシステム。
【手続補正２】
【補正対象書類名】特許請求の範囲
【補正対象項目名】請求項２
【補正方法】変更
【補正の内容】
【請求項２】
カメラ付き携帯端末を用いて人体の一部を撮像した画像により個人認証を行うシステムであって、
前記カメラ付き携帯端末により撮像した認証用画像及び該認証用画像を回転した画像の特徴量と、予め登録してある登録画像の特徴量とを比較することにより個人認証を行うシステム。
【手続補正３】
【補正対象書類名】特許請求の範囲
【補正対象項目名】請求項１１
【補正方法】変更
【補正の内容】
【請求項１１】
カメラ付き携帯端末を用いて人体の一部を撮像した画像により個人認証を行う方法であって、
前記カメラ付き携帯端末により撮像した認証用画像の特徴量と、予め登録してある登録画像及び該登録画像を回転した画像の特徴量とを比較することにより個人認証を行う方法。
【手続補正４】
【補正対象書類名】特許請求の範囲
【補正対象項目名】請求項１２
【補正方法】変更
【補正の内容】
【請求項１２】
カメラ付き携帯端末を用いて人体の一部を撮像した画像により個人認証を行う方法であって、
前記カメラ付き携帯端末により撮像した認証用画像及び該認証用画像を回転した画像の特徴量と、予め登録してある登録画像の特徴量とを比較することにより個人認証を行う方法。